(57)【特許請求の範囲】
【請求項１】
左右一対のレンズと、  各レンズを支持するフロントフレーム部と、  該フロントフレーム部の中央に取り付けられたパッド部と、  該フロントフレーム部の一方側の端部から後方に延びるテンプル部と、  前記フロントフレーム部の他方側の端部に設けられた当接部と、を備え、  前記当接部を顔の側面に当接した状態で前記テンプル部を耳に引掛けることにより着用される眼鏡。
【請求項２】
前記テンプル部には、該テンプル部の長手方向に沿って摘み部が設けられている請求項１記載の眼鏡。
【請求項３】
前記当接部が、前記フロントフレーム部の他方側の端部の内側に突出するように取り付けられた基部と、該基部に連結された円盤状の頭部とからなり、側面視でＴ字状となっている請求項１又は２に記載の眼鏡。
【請求項４】
前記頭部の前記基部とは反対側の周縁がテーパー状となっている請求項３記載の眼鏡。
【請求項５】
前記当接部が、フロントフレーム部の長手方向に沿って延びる多角柱状である請求項１又は２に記載の眼鏡。
【請求項６】
前記当接部が、前記フロントフレーム部に沿ってスライド可能となっている請求項１〜５のいずれか１項に記載の眼鏡。
【請求項７】
前記フロントフレーム部の他方側の端部が、先端を内側に折り返したＪ字状となっている請求項１〜６のいずれか１項に記載の眼鏡。
【請求項８】
前記フロントフレーム部が、各レンズを支持する支持部と、  該支持部の一方側に延びる第１フレーム部と、  該支持部の他方側に延びる第２フレーム部と、からなり、  前記パッド部が、前記支持部の中央に取り付けられ、  前記テンプル部が、前記第１フレーム部の端部から後方に延びており、  前記当接部が、前記第２フレーム部の端部に設けられ、  前記第２フレーム部がループ状となっている請求項１〜６のいずれか１項に記載の眼鏡。
【請求項９】
前記第２フレーム部の先端及び後端が前記支持部に挿入されており、且つ、  前記先端又は前記後端が、前記支持部内をスライド可能となっている請求項８記載の眼鏡。
【請求項１０】
前記フロントフレーム部の他方側には、取付け部が設けられており、  該取付け部に外部テンプル部が着脱自在となっている請求項１〜９のいずれか１項に記載の眼鏡。
【請求項１１】
前記外部テンプル部がモニタ付テンプル部である請求項１０記載の眼鏡。
【発明の詳細な説明】
【技術分野】
【０００１】
本発明は、眼鏡に関し、更に詳しくは、片手で簡単に着脱することができ、且つ、着用した際には眼鏡がずれることを防止できる眼鏡に関する。
【背景技術】
【０００２】
図８は、従来の眼鏡を示す斜視図である。
図８に示すように従来の眼鏡５０は、一般に、左右一対のレンズＲと、各レンズＲを支持する枠体５１と、該枠体５１の両側に取り付けられたテンプル部５５と、枠体５１の中央のブリッジに取り付けられたパッド５２と、を備える。
従来の眼鏡５０は、両側のテンプル部５５をそれぞれ手に持って、対応する左右の耳に掛けることにより着用される。
したがって、従来の眼鏡５０においては、一方側の片手を使用している場合や汚れている場合等に、他方側の片手のみを使って着用することは困難である。
【０００３】
これに対し、片方のテンプル部を有しない特殊形状の眼鏡が開発されている。
例えば、眼鏡のつるに髪止め状の器具を取り付け、該器具を髪に装着して、レンズやフレームを支える眼鏡が知られている（例えば、特許文献１参照）。
【先行技術文献】
【特許文献】
【０００４】
【特許文献１】特開平０８−２１１３３８号公報
【発明の概要】
【発明が解決しようとする課題】
【０００５】
しかしながら、上記特許文献１記載の眼鏡は、眼鏡を支える部分が、つると髪止め状の器具との二箇所であるので、着用した際には極めて不安定であり、ずれ易いという欠点がある。
【０００６】
本発明は上記事情に鑑みてなされたものであり、片手で簡単に着脱することができ、且つ、着用した際には眼鏡がずれることを防止できる眼鏡を提供することを目的とする。
【課題を解決するための手段】
【０００７】
本発明者は、上記課題を解決するため鋭意検討したところ、フロントフレーム部の一方側にのみテンプル部を備えるものとし、他方側に、顔の側面に当接する当接部を備えることにより、意外にも、上記問題点を解決できることを見出し、本発明を完成させるに至った。
【０００８】
本発明は、（１）左右一対のレンズと、各レンズを支持するフロントフレーム部と、該フロントフレーム部の中央に取り付けられたパッド部と、該フロントフレーム部の一方側の端部から後方に延びるテンプル部と、フロントフレーム部の他方側の端部に設けられた当接部と、を備え、当接部を顔の側面に当接した状態でテンプル部を耳に引掛けることにより着用される眼鏡に存する。
【０００９】
本発明は、（２）テンプル部には、該テンプル部の長手方向に沿って摘み部が設けられている上記（１）記載の眼鏡に存する。
【００１０】
本発明は、（３）当接部が、フロントフレーム部の他方側の端部の内側に突出するように取り付けられた基部と、該基部に連結された円盤状の頭部とからなり、側面視でＴ字状となっている上記（１）又は（２）に記載の眼鏡に存する。
【００１１】
本発明は、（４）頭部の基部とは反対側の周縁がテーパー状となっている上記（３）記載の眼鏡に存する。
【００１２】
本発明は、（５）当接部が、フロントフレーム部の長手方向に沿って延びる多角柱状である上記（１）又は（２）に記載の眼鏡に存する。
【００１３】
本発明は、（６）当接部が、フロントフレーム部に沿ってスライド可能となっている上記（１）〜（５）のいずれか１つに記載の眼鏡に存する。
【００１４】
本発明は、（７）フロントフレーム部の他方側の端部が、先端を内側に折り返したＪ字状となっている上記（１）〜（６）のいずれか１つに記載の眼鏡に存する。
【００１５】  本発明は、（８）フロントフレーム部が、各レンズを支持する支持部と、該支持部の一方側に延びる第１フレーム部と、該支持部の他方側に延びる第２フレーム部と、からなり、パッド部が、支持部の中央に取り付けられ、テンプル部が、第１フレーム部の端部から後方に延びており、当接部が、第２フレーム部の端部に設けられ、第２フレーム部がループ状となっている上記（１）〜（６）のいずれか１つに記載の眼鏡に存する。  【００１６】
本発明は、（９）第２フレーム部の先端及び後端が支持部に挿入されており、且つ、先端又は後端が、支持部内をスライド可能となっている上記（８）記載の眼鏡に存する。
【００１７】
本発明は、（１０）フロントフレーム部の他方側には、取付け部が設けられており、該取付け部に外部テンプル部が着脱自在となっている上記（１）〜（９）のいずれか１つに記載の眼鏡に存する。
【００１８】
本発明は、（１１）外部テンプル部がモニタ付テンプル部である上記（１０）記載の眼鏡に存する。
【発明の効果】
【００１９】
本発明の眼鏡においては、フロントフレーム部の一方側のみをテンプル部とし、他方側を当接部とすることにより、片手で簡単に着脱することが可能となる。すなわち、当接部を顔の側面に当接した状態でテンプル部を耳に引掛けることにより着用することができる。
また、上記眼鏡は、テンプル部、パッド部及び当接部の三箇所で固定されるので、着用した際には眼鏡がずれることを防止できる。
【００２０】
本発明の眼鏡においては、テンプル部に、テンプル部の長手方向に沿って摘み部が設けられているので、当該摘み部を把持することにより、より着用し易くなる。
例えば、テンプル部が細い棒状である場合、テンプル部を直接把持することにより、眼鏡がテンプル部を軸として不作為に回転してしまうという欠点があるが、摘み部を設け、該摘み部を把持することにより、これを防止することができる。
【００２１】
本発明の眼鏡においては、当接部が、基部と頭部とからなり、側面視でＴ字状となっている場合、基部が比較的径小であるので、フロントフレーム部に取り付け易いという利点があり、一方で、頭部が比較的径大であるので、顔の側面に当接させた場合の顔への圧力負荷を軽減させることができるという利点がある。
また、円盤状の頭部の基部とは反対側の周縁がテーパー状となっているので、着用した眼鏡が仮にずれた場合であっても、当接部により顔の側面が傷付くことを抑制することができる。
【００２２】
本発明の眼鏡においては、当接部が、フロントフレーム部の長手方向に延びる多角柱状である場合、顔の側面の形状に応じて当接させ易いという利点がある。
【００２３】
本発明の眼鏡においては、当接部が、フロントフレーム部に沿ってスライド可能となっている場合、当接部の位置調整を行うことができる。
【００２４】
本発明の眼鏡においては、フロントフレーム部の他方側の端部が、先端を内側に折り返したＪ字状となっている場合、フロントフレーム部の他方側の端部の自由度が向上する。これにより、顔の側面の形状に応じて、当接部を確実に当接させることができる。
【００２５】
本発明の眼鏡においては、フロントフレーム部が、各レンズを支持する支持部と、該支持部の一方側に延びる第１フレーム部と、該支持部の他方側に延びる第２フレーム部と、からなり、第２フレーム部がループ状となっている場合、第１フレーム部にはテンプル部があるのに対し、第２フレーム部にはテンプル部がないので、第２フレーム部をループ状とすることにより、全体的な重量バランスを均衡化させることができる。
このとき、第２フレーム部の先端及び後端が支持部に挿入されており、且つ、先端又は後端が、支持部内をスライド可能となっている場合、第２フレーム部の先端又は後端をスライドさせることにより、当接部の位置調整を行うことができる。
【００２６】
発明の眼鏡においては、フロントフレーム部の他方側には、取付け部が設けられており、該取付け部に外部テンプル部が着脱自在となっているので、外部テンプル部を取り付けることにより、所望の機能を付加することができる。
例えば、外部テンプル部がモニタ付テンプル部である場合、モニタを介して映画等を視聴することも可能であり、モニタを介して外部テンプル部内に収納されたコンピュータによるインターネットを使用することも可能である。
【図面の簡単な説明】
【００２７】
【図１】図１の（ａ）は、第１実施形態に係る眼鏡を示す斜視図であり、（ｂ）は、その平面図である。
【図２】図２は、第１実施形態に係る眼鏡における摘み部を示す斜視図である。
【図３】図３の（ａ）は、第２実施形態に係る眼鏡を示す斜視図であり、（ｂ）は、その平面図である。
【図４】図４の（ａ）は、第３実施形態に係る眼鏡を示す斜視図であり、（ｂ）は、その平面図である。
【図５】図５は、第３実施形態に係る眼鏡の取付け部と外部テンプル部との取り付け構造を説明するための説明図である。
【図６】図６の（ａ）及び（ｂ）は、他の実施形態に係る眼鏡を示す斜視図である。
【図７】図７の（ａ）及び（ｂ）は、他の実施形態に係る眼鏡の当接部を示す斜視図である。
【図８】図８は、従来の眼鏡を示す斜視図である。
【発明を実施するための形態】
【００２８】
以下、必要に応じて図面を参照しつつ、本発明の好適な実施形態について詳細に説明する。なお、図面中、同一要素には同一符号を付すこととし、重複する説明は省略する。また、図面の寸法比率は図示の比率に限られるものではない。
【００２９】
（第１実施形態）
図１の（ａ）は、第１実施形態に係る眼鏡を示す斜視図であり、（ｂ）は、その平面図である。
図１の（ａ）及び（ｂ）に示すように、第１実施形態に係る眼鏡１００は、左右一対のレンズＲと、各レンズＲを支持するフロントフレーム部１と、該フロントフレーム部１の中央に取り付けられたパッド部２と、該フロントフレーム部１の一方側の端部に設けられたヒンジ部３と、該ヒンジ部３から後方に延びるテンプル部５と、フロントフレーム部１の他方側の端部に内側に突出するように設けられた当接部１０とを備える。
【００３０】
第１実施形態に係る眼鏡１００においては、フロントフレーム部１の一方側のみがヒンジ部３を介したテンプル部５を有しており、他方側はヒンジ部及びテンプル部を有していない。
【００３１】
フロントフレーム部１は、支持部１ａと、該支持部１ａから一方側に延びる第１フレーム部１ｂと、該支持部１ａから他方側に延びる第２フレーム部１ｃとからなる。
なお、第１フレーム部１ｂ及び第２フレーム部１ｃは、左右非対称となっている。
【００３２】
ここで、第１フレーム部１ｂ及び第２フレーム部１ｃの材質は、特に限定されないが、チタンやチタン合金、ステンレス鋼等が挙げられる。これらの中でも、材質は、弾性を有するβチタンやＳＵＳ３０４等であることが好ましい。
第１フレーム部１ｂ及び第２フレーム部１ｃが弾性を有するものであると、当接部１０を顔の側面に当接した状態でテンプル部５を外側に広げることができるので、より簡単に着用することが可能となる。
また、第１フレーム部１ｂ及び第２フレーム部１ｃの復元力により当接部１０又はテンプル部５を内側に押圧するので、着用した眼鏡がよりずれ難くなる。
さらに、レンズＲが第１フレーム部１ｂ及び第２フレーム部１ｃに嵌っていないので、第１フレーム部１ｂ及び第２フレーム部１ｃを外側に広げ易い。
【００３３】
フロントフレーム部１において、支持部１ａは、左右方向に一対のレンズＲをピン止めにより支持している。
また、支持部１ａの中央には、内側に向けてパッド部２が取り付けられている。なお、パッド部２は、眼鏡１００を着用する際に、鼻に引掛ける部分であり、公知のものが適宜用いられる。
【００３４】
第１フレーム部１ｂは、支持部１ａからレンズＲの上面に沿って延び、レンズＲを超えたところで、略直角に後方に屈曲した構造となっており、その端部にヒンジ部３が設けられている。
そして、ヒンジ部３には、テンプル部５が水平方向に回動可能となるように取り付けられている。
【００３５】
テンプル部５は、顔の側面の輪郭に沿うように、水平方向に湾曲した構造となっており、後端部には耳に引掛けるループ状の引掛け部５ｂ（モダン）が設けられている。なお、引掛け部５ｂは、下部が耳の付け根の形状に沿うように湾曲した形状となっている。
また、テンプル部５には、長手方向に沿うように摘み部５ａが設けられている。
【００３６】
図２は、第１実施形態に係る眼鏡における摘み部を示す斜視図である。
図２に示すように、摘み部５ａは、指で摘まみ易くするために、水平方向に幅広となっており、且つ下側が凹部となっている。このため、眼鏡１００においては、当該摘み部５ａを把持することにより、片手であっても、簡単に着用することが可能となる。
【００３７】
摘み部５ａは、テンプル部５の長手方向に沿うように溝６が形成されている。
そして、当該溝６にテンプル部５を嵌め込むことにより、摘み部５ａは、テンプル部５に取り付けられる。
また、摘み部５ａは、テンプル部５の長手方向に沿ってスライド可能となっている。このため、摘み部５ａを所望の位置に配置させることも可能である。
【００３８】
図１に戻り、第２フレーム部１ｃは、支持部１ａからレンズＲの上面に沿って延び、レンズＲを超えたところで、略直角に後方に屈曲し、その端部が、先端を内側に折り返したＪ字状となっている。
そして、端部の先端部分には、当接部１０が内側に向けて突出するように取り付けられている。
【００３９】
ここで、当接部１０は、ねじ止めにより端部の先端に取り付けられている。したがって、そのねじを取り外すことにより、容易に交換することができる。
【００４０】
第１実施形態に係る眼鏡１００においては、フロントフレーム部の他方側の端部（第２フレーム部１ｃの端部）が、先端を内側に折り返したＪ字状となっているので、フロントフレーム部１の他方側の端部の自由度が向上する。すなわち、顔の側面の形状に応じて、角度や位置を適宜修正することができ、当接部１０を確実に顔の側面に当接させることが可能となる。
【００４１】
当接部１０は、フロントフレーム部１の他方側の端部（第２フレーム部１ｃの端部）の内側に取り付けられた基部１１と、該基部１１に連結され、それより拡大された円盤状の頭部１２とからなる。なお、かかる円盤状には、上面視で真円であるもののみならず、楕円形状であるものも含まれる。
ここで、頭部１２の材質は、特に限定されないが、シリコーン又はラバーであることが好ましい。この場合、着用した際に、滑り難くなるという利点がある。
【００４２】
当接部１０において、頭部１２は、比較的径大であるので、顔の側面に当接させた場合に顔と接触する表面積が大きくなり、その結果、当接による顔への圧力負荷を軽減させることができる。
頭部１２は、基部１１とは反対側の周縁がテーパー状となっている。このため、着用した眼鏡１００が仮にずれた場合であっても、頭部１２の周縁がテーパー状となっているので、顔の側面を滑るように移動することになる。その結果、顔の側面が傷付くことを抑制することができる。また、眼鏡１００が上下左右にずれても方向性がないため、どの方向にも同じずれ難さとなる。
【００４３】
第１実施形態に眼鏡１００においては、摘み部５ａを片手で摘まみ、当接部１０を顔の側面の蟀谷辺りに当接した状態でテンプル部５を耳に引掛けることにより、簡単に着用することができ、逆の操作により、簡単に取り外すことができる。
そして、着用した場合には、眼鏡１００は、テンプル部５、パッド部２及び当接部１０の三箇所（Ａ点、Ｂ点、Ｃ点）で顔に固定されるので、着用した際には眼鏡１００がずれることを防止することができる。
【００４４】
（第２実施形態）
図３の（ａ）は、第２実施形態に係る眼鏡を示す斜視図であり、（ｂ）は、その平面図である。
図３の（ａ）及び（ｂ）に示すように、第２実施形態に係る眼鏡１０１は、左右一対のレンズＲと、各レンズＲを支持するフロントフレーム部２１と、該フロントフレーム部２１の中央に取り付けられたパッド部２と、該フロントフレーム部２１の一方側の端部に設けられたヒンジ部３と、該ヒンジ部３から後方に延びるテンプル部５と、フロントフレーム部２１の他方側の端部の内側に突出するように設けられた当接部１０とを備える。
そして、フロントフレーム部２１は、支持部１ａと、該支持部１ａから一方側に延びる第１フレーム部１ｂと、該支持部１ａから他方側に延びるループ状の第２フレーム部２１ｃとからなる。
すなわち、第２実施形態に係る眼鏡１０１は、第２フレーム部２１ｃが、ループ状になっていること以外は、第１実施形態に係る眼鏡１００と同じである。
【００４５】
第２実施形態に係る眼鏡１０１においては、第１フレーム部１ｂにはテンプル部５があるのに対し、第２フレーム部２１ｃにはテンプル部５がないので、第２フレーム部２１ｃをループ状とすることにより、全体的な重量バランスが図られている。
【００４６】
第２フレーム部２１ｃの材質は、特に限定されないが、チタンやチタン合金、ステンレス鋼等が挙げられる。これらの中でも、材質は、弾性を有するβチタンやＳＵＳ３０４等であることが好ましい。
第２フレーム部２１ｃが弾性を有するものであると、当接部１０を顔の側面に当接した状態でテンプル部５を外側に広げることができるので、より簡単に着用することが可能となる。
また、第２フレーム部２１ｃの復元力により当接部１０又はテンプル部５を内側に押圧するので、着用した眼鏡がよりずれ難くなる。
【００４７】
第２フレーム部２１ｃは、支持部１ａからレンズＲの上面に沿って延び、レンズＲを超えたところで、略直角に後方に屈曲し、端部で折り返され、再び、レンズＲの上面に沿って延び、支持部１ａに取り付けられている。
したがって、第２フレーム部２１ｃは、先端及び後端が支持部１ａに挿入されて取り付けられた構造となっている。
【００４８】
このとき、第２フレーム部２１ｃは、先端又は後端が、支持部１ａ内をスライド可能となっている。このため、先端又は後端をスライドさせることにより、当接部１０の位置を調整することが可能となっている。
【００４９】
第２実施形態に係る眼鏡１０１においては、第１実施形態に係る眼鏡１００と同様に、摘み部５ａを片手で摘まみ、当接部１０を顔の側面の蟀谷辺りに当接した状態でテンプル部５を耳に引掛けることにより、簡単に着用することができ、また、逆の操作により、簡単に取り外すことができる。
そして、着用した場合には、眼鏡１０１は、テンプル部５、パッド部２及び当接部１０の三箇所で顔に固定されるので、着用した際には眼鏡１００がずれることを防止することができる。
【００５０】
（第３実施形態）
図４の（ａ）は、第３実施形態に係る眼鏡を示す斜視図であり、（ｂ）は、その平面図である。
図４の（ａ）及び（ｂ）に示すように、第３実施形態に係る眼鏡１０２は、左右一対のレンズＲと、各レンズＲを支持するフロントフレーム部１と、該フロントフレーム部１の中央に取り付けられたパッド部２と、該フロントフレーム部１の一方側の端部に設けられたヒンジ部３と、該ヒンジ部３から後方に延びるテンプル部５と、フロントフレーム部１の他方側の端部に内側に突出するように設けられた当接部１０と、フロントフレーム部１の他方側の端部に外側に突出するように設けられた取付け部１５と、該取付け部に着脱自在となるように取り付けられた外部テンプル部２０とを備える。
すなわち、第３実施形態に係る眼鏡１０２は、取付け部１５と、外部テンプル部２０とを更に備えること以外は、第２実施形態に係る眼鏡１０１と同じである。
【００５１】
第３実施形態に係る眼鏡１０２においては、第１フレーム部１ｂにはテンプル部５があるのに対し、第２フレーム部２１ｃには外部テンプル部２０があるので、全体的な重量バランスが概ね図られている。
また、外部テンプル部２０は、外観がテンプル形状であり、耳に引掛けることが可能となっている。このため、取り付ける外部テンプル部２０の種類によって重量が異なったとしても、着用した際に、眼鏡１０２を安定化させることができる。
【００５２】
図５は、第３実施形態に係る眼鏡の取付け部と外部テンプル部との取り付け構造を説明するための説明図である。
図５に示すように、眼鏡１０２においては、取付け部１５には第１貫通孔１５ａが設けられており、外部テンプル部２０には第２貫通孔１５ｂが設けられている。
そして、第１貫通孔１５ａ及び第２貫通孔１５ｂを重ね合わせ、両者をねじ止めすることにより、該取付け部１５に外部テンプル部２０を簡単に取り付けることができる。すなわち、ねじの着脱を行うことにより、外部テンプル部２０の着脱が可能となっている。
【００５３】
外部テンプル部２０としては、例えば、モニタ付テンプル部が挙げられる。この場合、モニタを介して映画等を視聴することも可能であり、モニタを介して外部テンプル部内に収納されたコンピュータによるインターネットを使用することも可能である。
【００５４】
以上、本発明の実施形態について説明したが、本発明は上記実施形態に限定されるものではない。
【００５５】
第１、第２及び第３実施形態に係る眼鏡１００，１０１，１０２は、フロントフレーム部１の一方側の端部に設けられたヒンジ部３と、該ヒンジ部３から後方に延びるテンプル部５とを備えているが、ヒンジ部３は必須の構成要件ではない。
例えば、ヒンジ部を有さず、フロントフレーム部の一方側の端部から後方にテンプル部が直接設けられていてもよい。
【００５６】
第１及び第２実施形態に係る眼鏡１００，１０１は、フロントフレーム部１、パッド部２、ヒンジ部３、テンプル部５、当接部１０を備えているが、これらの形状は図１の（ａ）及び（ｂ）に示すものに限定されない。
図６の（ａ）及び（ｂ）は、他の実施形態に係る眼鏡を示す斜視図である。
図６の（ａ）に示すように、眼鏡１０３のフロントフレーム部３１は、レンズＲの上面に沿って枠体が設けられていてもよい。
また、図６の（ｂ）に示すように、眼鏡１０４のフロントフレーム部４１は、レンズＲの周囲に沿って枠体が設けられていてもよい。
【００５７】
第１、第２及び第３実施形態に係る眼鏡１００，１０１，１０２においては、テンプル部５の後端部にループ状の引掛け部５ｂが設けられているが、引掛け部５ｂの形状はこれに限定されない。例えば、テンプル部の後端部にいわゆるモダンが取り付けられていてもよい。
【００５８】
第１、第２及び第３実施形態に係る眼鏡１００，１０１，１０２において、当接部１０は、ねじ止めにより端部の先端に取り付けられているが、取り付け方法はこれに限定されない。例えば、挿嵌により取り付けられていてもよい。
【００５９】
第１実施形態に係る眼鏡１００において、第２フレーム部１ｃの端部の先端部分には、当接部１０が固定されているが、当接部１０が第２フレーム部１ｃに沿ってスライド可能な構造であってもよい。この場合、当接部の位置調整を行うことができるという利点がる。
【００６０】
第１実施形態に係る眼鏡１００において、当接部１０は、基部１１と、頭部１２とからなり、フロントフレーム部１の他方側の端部に内側に突出するように設けられているが、構造はこれに限定されない。
例えば、当接部１０は、頭部１２の高さが段階的に切り替え可能となっていてもよい。
【００６１】
図７の（ａ）及び（ｂ）は、他の実施形態に係る眼鏡の当接部を示す斜視図である。
図７の（ａ）に示すように、当接部１０ａは、第２フロントフレーム部２１ｃの他方側の端部に設けられ、当該端部における第２フロントフレーム部２１ｃの長手方向に沿って延びる多角柱状となっている。なお、かかる多角柱状には、円柱状も含まれる。
かかる当接部１０ａには、溝が形成されており、該溝を端部における第２フロントフレーム部２１ｃに嵌め込むことにより取り付けられる。
ここで、当接部１０ａは、内側（顔の側面側）が肉厚となっており、顔の側面の形状に応じて当接させ易くなっている。
また、当接部１０ａは、第２フロントフレーム部２１ｃの長手方向に沿ってスライド可能となっている。このため、顔の形状に応じて当接部１０ａの位置調整を行うことができる。
【００６２】
図７の（ｂ）に示すように、当接部１０ｂは、同様に、第２フロントフレーム部２１ｃの他方側の端部に設けられ、当該端部における第２フロントフレーム部２１ｃの長手方向に沿って延びる多角柱状となっており、上面視でＵ字状となっている。なお、かかる多角柱状には、円柱状も含まれる。
かかる当接部１０ｂには、中空部が形成されており、第２フロントフレーム部２１ｃの端部を、当該中空部に嵌め込むことにより取り付けられる。
また、当接部１０ｂは、第２フロントフレーム部２１ｃの長手方向に沿ってスライド可能となっている。このため、顔の形状に応じて当接部１０ａの位置調整を行うことができる。
【００６３】
第３実施形態に係る眼鏡１０２において、取付け部１５には第１貫通孔１５ａが設けられ、外部テンプル部２０には第２貫通孔１５ｂが設けられ、第１貫通孔１５ａ及び第２貫通孔１５ｂを重ね合わせ、両者をねじ止めすることにより、該取付け部１５に外部テンプル部２０を取り付けているが、取り付け方法はこれに限定されない。例えば、挿嵌により取り付けてもよく、磁石を用いて取り付けてもよい。
【００６４】
第３実施形態に係る眼鏡１０２において、外部テンプル部２０として、モニタ付テンプル部を挙げているが、これに限定されず、例えば、カメラ付テンプル部等であってもよい。この場合、人の視線と同じ高さで風景等を撮影することが可能となる。
【産業上の利用可能性】
【００６５】
本発明は、片手で簡単に着脱することができ、且つ、着用した際にはずれることを防止できる眼鏡として利用することができる。
【符号の説明】
【００６６】
１，２１，３１，４１・・・フロントフレーム部
１ａ・・・支持部
１ｂ・・・第１フレーム部
１ｃ，２１ｃ・・・第２フレーム部
２・・・パッド部
３・・・ヒンジ部
５，５５・・・テンプル部
５ａ・・・摘み部
５ｂ・・・引掛け部
６・・・溝
１０・・・当接部
１１・・・基部
１２・・・頭部
１５・・・取付け部
１５ａ・・・第１貫通孔
１５ｂ・・・第２貫通孔
２０・・・外部テンプル部
５０，１００，１０１，１０２・・・眼鏡
５１・・・枠体
５２・・・パッド
Ｒ・・・レンズ
【図１】
0006320194.tif 000002
【図２】
0006320194.tif 000003
【図３】
0006320194.tif 000004
【図４】
0006320194.tif 000005
【図５】
0006320194.tif 000006
【図６】
0006320194.tif 000007
【図７】
0006320194.tif 000008
【図８】
0006320194.tif 000009